(57)【要約】【課題】画質特性を容易かつ低コストに調整可能な画像出力装置、画質調整方法、画質調整プログラムおよび記録媒体を提供する。【解決手段】画像生成手段２を備えた画像出力装置１は、駆動信号補正用のルックアップテーブル（ＬＵＴ）を記憶する第１記憶手段５と、ＬＵＴに基づく駆動信号補正を行う信号補正手段６と、画質情報取得装置が接続されるインターフェース３と、ＬＵＴを修正して画質調整を行う画質調整手段７とを備える。画質調整手段７は、所定レベルの駆動信号を出力してパターン画像を生成させるパターン画像出力部７１と、画質情報取得装置から画質情報を取得する画質情報取得部７２と、パターン画像の画質情報および駆動信号レベルから画像生成特性を算出する画像生成特性算出部７３と、画像生成特性に基づいてＬＵＴを生成するＬＵＴ生成部７４と、ＬＵＴを記憶させるＬＵＴ記憶部７５とを備える。【選択図】  図１
2007081576.tif 000002
【特許請求の範囲】
【請求項１】
入力される駆動信号の信号レベルに応じたＲＧＢ各色の画像を生成するＲ画像生成手段、Ｇ画像生成手段およびＢ画像生成手段を備え、装置本体に入力する入力信号に応じた画像を出力する画像出力装置であって、
それぞれの前記画像生成手段に出力する駆動信号の信号レベルと前記入力信号の信号レベルとの対応関係が記録され、前記駆動信号の信号補正を行うためのルックアップテーブルを記憶する第１記憶手段と、
前記ルックアップテーブルに基づいて前記駆動信号の信号補正を行う信号補正手段と、
それぞれの前記画像生成手段により生成された画像の画質情報を取得する画質情報取得装置が接続されるインターフェースと、
前記ルックアップテーブルを修正して、それぞれの前記画像生成手段により生成される画像の画質調整を行う画質調整手段とを備え、
前記画質調整手段は、
それぞれの前記画像生成手段に所定の信号レベルの駆動信号を順次出力して、所定のパターン画像を順次生成させるパターン画像出力部と、
前記インターフェースに接続された前記画質情報取得装置からそれぞれの前記パターン画像の画質情報を取得する画質情報取得部と、
取得されたそれぞれの前記パターン画像の画質情報、および、それぞれの前記パターン画像の生成の際に前記パターン画像出力部から出力されたそれぞれの前記駆動信号の信号レベルに基づいて、それぞれの前記画像生成手段の画像生成特性を算出する画像生成特性算出部と、
算出されたそれぞれの前記画像生成特性に基づいて、前記ルックアップテーブルを生成するルックアップテーブル生成部と、
生成された前記ルックアップテーブルを前記第１記憶手段に記憶させるルックアップテーブル記憶部とを備えることを特徴とする画像出力装置。
【請求項２】
請求項１に記載の画像出力装置において、
前記パターン画像出力部は、それぞれの前記画像生成手段に、当該画像生成手段の入力許容範囲で最高レベルの駆動信号、および、当該範囲内の所定レベルの駆動信号のそれぞれを順次出力して、当該駆動信号に応じたそれぞれの前記パターン画像を生成させ、
前記画質情報取得部は、前記最高レベルの駆動信号に係る前記パターン画像の画質情報、および、それぞれの前記所定レベルの駆動信号の出力により生成されたそれぞれの前記パターン画像の画質情報を取得することを特徴とする画像出力装置。
【請求項３】
請求項２に記載の画像出力装置において、
それぞれの前記画像生成手段は、前記駆動信号の信号レベルに応じて入射光束の透過率を調整する液晶パネルを備えて構成され、
前記入力信号の信号レベル、および、当該信号レベルに応じたそれぞれの前記液晶パネルの透過率が対応する所定のガンマ特性を記憶する第２記憶手段を備え、
前記画像生成特性算出部は、前記最高レベルの駆動信号に係る前記パターン画像の画質情報を基準として、前記所定レベルの駆動信号に係る前記パターン画像の画質情報から前記液晶パネルの透過率を算出して、前記駆動信号の信号レベルと前記透過率とが対応した前記画像生成特性を算出し、
前記ルックアップテーブル生成部は、前記画像生成特性および前記ガンマ特性を比較して、同じ前記透過率を実現する前記ガンマ特性の駆動信号の信号レベル、および、前記画像生成特性の駆動信号の信号レベルが対応したルックアップテーブルを生成することを特徴とする画像出力装置。
【請求項４】
請求項３に記載の画像出力装置において、
前記ガンマ特性のガンマ値は２．２であることを特徴とする画像出力装置。
【請求項５】
入力される駆動信号の信号レベルに応じたＲＧＢ各色の色画像を生成するＲ画像生成手段、Ｇ画像生成手段およびＢ画像生成手段を備え、装置本体に入力する入力信号に応じた画像を出力する画像出力装置に用いられ、それぞれの前記画像生成手段に入力する駆動信号を補正するルックアップテーブルを生成して生成画像の画質を調整する画質調整方法であって、
前記画像出力装置は、
それぞれの前記画像生成手段に出力する駆動信号の信号レベルと前記入力信号の信号レベルとの対応関係が記録され、前記駆動信号の信号補正を行うためのルックアップテーブルを記憶する第１記憶手段と、
前記ルックアップテーブルに基づいて前記駆動信号の信号補正を行う信号補正手段と、
それぞれの前記画像生成手段により生成された画像の画質情報を取得する画質情報取得装置が接続されるインターフェースとを備え、
前記画像出力装置に、
それぞれの前記画像生成手段に所定の信号レベルの駆動信号を順次出力して、所定のパターン画像を順次生成させるパターン画像出力ステップと、
前記インターフェースに接続された前記画質情報取得装置からそれぞれの前記パターン画像の画質情報を取得する画質情報取得ステップと、
取得されたそれぞれの前記パターン画像の画質情報、および、それぞれの前記パターン画像の生成の際に前記パターン画像出力ステップで出力されたそれぞれの前記駆動信号の信号レベルに基づいて、それぞれの前記画像生成手段の画像生成特性を算出する画像生成特性算出ステップと、
算出された前記画像生成特性に基づいて、前記ルックアップテーブルを生成するルックアップテーブル生成ステップと、
生成された前記ルックアップテーブルを前記第１記憶手段に記憶させるルックアップテーブル記憶ステップとを実行させることを特徴とする画質調整方法。
【請求項６】
入力される駆動信号の信号レベルに応じたＲＧＢ各色の色画像を生成するＲ画像生成手段、Ｇ画像生成手段およびＢ画像生成手段を備え、装置本体に入力する入力信号に応じた画像を出力する画像出力装置に用いられ、それぞれの前記画像生成手段に入力する駆動信号を補正するルックアップテーブルを生成して生成画像の画質を調整するために、前記画像出力装置で実行される画質調整プログラムであって、
前記画像出力装置は、
それぞれの前記画像生成手段に出力する駆動信号の信号レベルと前記入力信号の信号レベルとの対応関係が記録され、前記駆動信号の信号補正を行うためのルックアップテーブルを記憶する第１記憶手段と、
前記ルックアップテーブルに基づいて前記駆動信号の信号補正を行う信号補正手段と、
それぞれの前記画像生成手段により生成された画像の画質情報を取得する画質情報取得装置が接続されるインターフェースとを備え、
前記画像出力装置に、
それぞれの前記画像生成手段に所定の信号レベルの駆動信号を順次出力して、所定のパターン画像を順次生成させるパターン画像出力ステップと、
前記インターフェースに接続された前記画質情報取得装置からそれぞれの前記パターン画像の画質情報を取得する画質情報取得ステップと、
取得されたそれぞれの前記パターン画像の画質情報、および、それぞれの前記パターン画像の生成の際に前記パターン画像出力ステップで出力されたそれぞれの前記駆動信号の信号レベルに基づいて、それぞれの前記画像生成手段の画像生成特性を算出する画像生成特性算出ステップと、
算出された前記画像生成特性に基づいて、前記ルックアップテーブルを生成するルックアップテーブル生成ステップと、
生成された前記ルックアップテーブルを前記第１記憶手段に記憶させるルックアップテーブル記憶ステップとを実行させることを特徴とする画質調整プログラム。
【請求項７】
請求項６に記載の画質調整プログラムをコンピュータ読取可能に記録したことを特徴とする記録媒体。
【発明の詳細な説明】
【技術分野】
【０００１】
本発明は、入力される駆動信号の信号レベルに応じたＲＧＢ各色の画像を生成するＲ画像生成手段、Ｇ画像生成手段およびＢ画像生成手段を備え、装置本体に入力する入力信号に応じた画像を出力する画像出力装置、当該画像出力装置に用いられる画質調整方法、画質調整プログラム、および、当該画質調整プログラムをコンピュータ読取可能に記録した記録媒体に関する。
【背景技術】
【０００２】
従来、光源から射出されたＲ（赤）、Ｇ（緑）、Ｂ（青）の色光ごとに設けられ、入力駆動信号レベルに応じて入射光束の透過率特性が変化する３つの液晶パネルを備えた３板式液晶プロジェクタが知られている。
このような３板式液晶プロジェクタに採用される液晶パネルは、非線形なＳ字カーブ様の駆動電圧−透過率特性（ＶＴ特性）を有し、当該特性は、液晶パネルによって異なる。このため、形成画像の階調ずれ等を生じさせないために、駆動電圧−透過率特性に応じたガンマ補正を行う必要がある。
【０００３】
このような事情から、３板式液晶プロジェクタの製造時には、Ｒ用、Ｇ用およびＢ用のそれぞれの液晶パネルの駆動電圧−透過率特性（ＶＴ特性）を輝度計および色彩計等により測定し、当該測定データに基づいてガンマ補正用のルックアップテーブル（以下、「ＬＵＴ」と略す場合がある）をそれぞれの液晶パネルごとに作成して、当該ルックアップテーブルを、プロジェクタのメモリに書き込む方法が用いられていた（例えば特許文献１参照）。このような方法により、液晶プロジェクタに入力されたＲＧＢの各画像信号は、各ＬＵＴに応じて補正された後に各液晶パネルに入力され、当該各液晶パネルからは、適切な画質特性の色画像が出力されるようになる。
【０００４】
【特許文献１】特開２００１−２３８２２７号公報
【発明の開示】
【発明が解決しようとする課題】
【０００５】
しかしながら、特許文献１に記載の方法は、液晶プロジェクタの製造段階で行われる方法であり、出荷された後の使用に基づく光学特性等の変化により、生成される画像生成特性が変化してしまうことに対応できないという問題がある。
すなわち、光学部品等の経年変化およびランプの交換等により液晶プロジェクタの画像生成特性が変化してしまうと、当該画像生成特性にＬＵＴが対応できず、投射画像が悪化してしまう場合がある。このような場合、現在の画像生成特性に応じてＬＵＴを更新する必要があるが、ＬＵＴの更新には製造段階と同様の作業を行う必要がある。このため、ＬＵＴの更新に際しては、調整装置等が設けられた工場等で行う必要があるが、使用者にとって、液晶プロジェクタを当該工場等に持ち込むのは面倒であるという問題がある。
一方、製品の機種が異なると、光学特性および画質特性、ひいては内部回路も異なるため、機種に応じた調整装置や高価な色彩計が必要となる。しかしながら、古い機種の調整装置は、新しい機種の調整装置に転用されたり廃却されたりする場合があるため、調整したい機種に応じた調整装置を確保できない可能性がある。このような場合、工場等に液晶プロジェクタを持ち込んでもＬＵＴの更新を行うことができないという問題がある。
【０００６】
このような問題は、３板式液晶プロジェクタに限らず、単板式液晶プロジェクタ、液晶ディスプレイ、プラズマディスプレイ（ＰＤＰ）、有機ＥＬディスプレイなど、ＲＧＢの色光ごとの画像生成手段を備え、各画像生成手段について、入力駆動信号レベルごとに各色画像の輝度情報を測定する必要がある各種の画像出力装置に共通する問題である。
【０００７】
本発明の目的は、生成される画像の画質特性を容易に、かつ、低コストで調整可能な画像出力装置、当該画像出力装置に用いられる画質調整方法、画質調整プログラム、および、当該画質調整プログラムをコンピュータ読取可能に記録した記録媒体を提供することである。
【課題を解決するための手段】
【０００８】
前記した目的を達成するために、本発明の画像出力装置は、入力される駆動信号の信号レベルに応じたＲＧＢ各色の画像を生成するＲ画像生成手段、Ｇ画像生成手段およびＢ画像生成手段を備え、装置本体に入力する入力信号に応じた画像を出力する画像出力装置であって、それぞれの前記画像生成手段に出力する駆動信号の信号レベルと前記入力信号の信号レベルとの対応関係が記録され、前記駆動信号の信号補正を行うためのルックアップテーブルを記憶する第１記憶手段と、前記ルックアップテーブルに基づいて前記駆動信号の信号補正を行う信号補正手段と、それぞれの前記画像生成手段により生成された画像の画質情報を取得する画質情報取得装置が接続されるインターフェースと、前記ルックアップテーブルを修正して、それぞれの前記画像生成手段により生成される画像の画質調整を行う画質調整手段とを備え、前記画質調整手段は、それぞれの前記画像生成手段に所定の信号レベルの駆動信号を順次出力して、所定のパターン画像を順次生成させるパターン画像出力部と、前記インターフェースに接続された前記画質情報取得装置からそれぞれの前記パターン画像の画質情報を取得する画質情報取得部と、取得されたそれぞれの前記パターン画像の画質情報、および、それぞれの前記パターン画像の生成の際に前記パターン画像出力部から出力されたそれぞれの前記駆動信号の信号レベルに基づいて、それぞれの前記画像生成手段の画像生成特性を算出する画像生成特性算出部と、算出されたそれぞれの前記画像生成特性に基づいて、前記ルックアップテーブルを生成するルックアップテーブル生成部と、生成された前記ルックアップテーブルを前記第１記憶手段に記憶させるルックアップテーブル記憶部とを備えることを特徴とする。
【０００９】
本発明によれば、現在の各画像生成手段の画像生成特性に応じて、当該各画像生成手段に入力される駆動信号の信号補正のためのルックアップテーブルを生成することができ、各画像生成手段により生成される画像の画質特性を容易に調整することができる。
すなわち、画質調整手段のパターン画像出力部により所定のパターン画像が順次生成され、それぞれのパターン画像の画質情報が、画質情報取得装置から画質情報取得部により取得される。この後、画像生成特性算出部により、取得されたそれぞれのパターン画像の画質情報、および、当該画質情報に対応するパターン画像生成時の駆動信号の信号レベルに基づいて、当該各画像生成手段の現時点での画像生成特性が算出される。そして、ルックアップテーブル生成部により、算出された各画像生成手段の画像生成特性に基づいて、各画像生成手段に入力される駆動信号の信号補正用のルックアップテーブルが生成され、当該ルックアップテーブルは、ルックアップテーブル記憶部により第１記憶手段に記憶される。
【００１０】
これによれば、現在の画像生成手段の画像生成特性に基づいてルックアップテーブルを新たに生成することができ、これにより、当該ルックアップテーブルに基づいて、信号補正手段が各画像生成手段に入力される駆動信号の補正を行うことにより、当該各画像生成手段により生成される画像の画質特性を容易に調整することができる。
【００１１】
また、画質情報取得装置は、画像出力装置のインターフェースに接続され、当該インターフェースを介して、画質情報取得装置で取得された各パターン画像の画質情報が画像出力装置に入力する。ここで、画質情報取得装置としては、色彩計や輝度計を用いることができるが、このような計測機器は精度が高くなるほどに高価となり、画像出力装置内に組み込んだ場合、当該画像出力装置の製造コストが上昇してしまう。
これに対し、本発明では、画質情報取得装置を外部機器として画像出力装置に接続する構成としたことにより、画像出力装置自体のコスト増加を抑制でき、必要に応じて画質情報取得装置を接続することにより、画像出力装置の画質特性をより高精度に調整することができる。従って、低コストで画質特性の調整が可能な画像出力装置を提供することができる。
【００１２】
さらに、本発明の画像出力装置における画質調整は、従来の画像出力装置の構成に、画質調整手段を追加することによって達成される。このような画質調整手段に対応する調整装置は、従来、画像出力装置の外部に設けられる構成が一般的であるが、前述のように、画像出力装置の機種に応じた調整装置が必要であること等が問題となっている。これに対し、本発明では、調整装置に対応する画質調整手段が画像出力装置内部に設けられていることから、機種に応じた調整装置を設ける必要を無くすことができる。従って、画像出力装置の画質調整時の煩雑さを軽減することができる。
加えて、画像出力装置の画質調整の際に調整装置が不要であるので、画質情報取得装置さえあれば、画像出力装置の画質調整を行うことができる。このため、画質情報取得装置を販売店等に設置しておけば、使用者の居住地に近い販売店等で画像出力装置の画質調整を行うことができ、調整装置が設けられた数少ない工場等に画像出力装置を持ち込んで当該画質調整を行う必要を無くすことができる。従って、画像出力装置の画質特性を一層簡易に調整することができる。
【００１３】
本発明では、前記パターン画像出力部は、それぞれの前記画像生成手段に、当該画像生成手段の入力許容範囲で最高レベルの駆動信号、および、当該範囲内の所定レベルの駆動信号のそれぞれを順次出力して、当該駆動信号に応じたそれぞれの前記パターン画像を生成させ、前記画質情報取得部は、前記最高レベルの駆動信号に係る前記パターン画像の画質情報、および、それぞれの前記所定レベルの駆動信号の出力により生成されたそれぞれの前記パターン画像の画質情報を取得することが好ましい。
【００１４】
本発明によれば、現時点での画像生成手段の画像生成特性に一層適したルックアップテーブルを生成することができ、より精度の高い画質調整を可能とすることができる。
すなわち、パターン画像出力部により、画像出力手段の入力許容範囲で最高レベルの駆動信号に係るパターン画像と、当該範囲内の所定レベルの駆動信号に係るパターン画像が生成され、画像情報取得部により、それぞれのパターン画像の画像情報が取得される。
これによれば、最高レベルの駆動信号に係るパターン画像の画像情報を基準として、各所定レベルの駆動信号に係るパターン画像の画像情報を比較して、各信号レベルと画質情報との対応を相対的に比較することができる。従って、詳細な画像生成手段の画像生成特性を算出することができ、これにより、一層精度の高い画質特性の調整を行うことができる。
【００１５】
本発明では、それぞれの前記画像生成手段は、前記駆動信号の信号レベルに応じて入射光束の透過率を調整する液晶パネルを備えて構成され、前記入力信号の信号レベル、および、当該信号レベルに応じたそれぞれの前記液晶パネルの透過率が対応する所定のガンマ特性を記憶する第２記憶手段を備え、前記画像生成特性算出部は、前記最高レベルの駆動信号に係る前記パターン画像の画質情報を基準として、前記所定レベルの駆動信号に係る前記パターン画像の画質情報から前記液晶パネルの透過率を算出して、前記駆動信号の信号レベルと前記透過率とが対応した前記画像生成特性を算出し、前記ルックアップテーブル生成部は、前記画像生成特性および前記ガンマ特性を比較して、同じ前記透過率を実現する前記ガンマ特性の駆動信号の信号レベル、および、前記画像生成特性の駆動信号の信号レベルが対応したルックアップテーブルを生成することが好ましい。
【００１６】
本発明によれば、画像生成特性算出部が、最大レベルの駆動信号に係るパターン画像の画質情報を基準として、所定レベルの駆動信号に係るパターン画像の画質情報から画像生成手段を構成する液晶パネルの透過率が算出され、駆動信号の信号レベルと液晶パネルの透過率とが対応した画像生成特性が算出される。このようにして算出された各画像生成手段を構成する各液晶パネルの画像生成特性と、第２記憶手段に記憶された所定のガンマ特性とに基づいて、ルックアップテーブル生成部によりルックアップテーブルの生成が行われる。これによれば、信号レベルごとの液晶パネルの透過率が算出されるので、信号レベルと透過率とが対応した各画像生成手段の画像生成特性を算出することができる。
【００１７】
また、算出された画像生成特性を用いてルックアップテーブルの生成を行う際に、当該画像生成特性と、第２記憶手段に記憶されたガンマ特性とを比較して、液晶パネルの同じ透過率に応じた画像生成特性およびガンマ特性のそれぞれの駆動信号レベルが算出され、入力信号レベルと駆動信号レベルとが対応したルックアップテーブルが生成される。このため、当該生成されたルックアップテーブルを信号補正手段が参照して信号補正を行うことにより、現在の画像出力装置で生成される画像の画質を所定のガンマ特性に応じた画質とすることができる。従って、所定のガンマ特性に応じた精度の高い生成画像の画質調整を行うことができ、生成画像の画質を最適な状態に保つことができる。
また、第２記憶手段に記憶されたガンマ特性を変更することにより、変更されたガンマ特性に応じたルックアップテーブルを生成することができるので、当該ルックアップテーブルに応じて信号補正された駆動信号によって生成される画像の画質特性を容易に変更することができる。
【００１８】
さらに、本発明では、前記ガンマ特性のガンマ値は２．２であることが好ましい。
本発明によれば、各画像生成手段の液晶パネルで生成される画像の画質を、ＣＲＴ（Cathode Ray Tube）等の画像の画質に調整することができる。従って、ＣＲＴでの出力を基準としている一般的な画像データを表示するのに適した画像出力装置とすることができる。
なお、画像の種類によっては、ガンマ値を１．８等にしたものもあるため、ガンマ値は２．２に限らず、画像出力装置において出力する画像データの種類に応じて設定すればよい。
【００１９】
また、本発明の画質調整方法は、入力される駆動信号の信号レベルに応じたＲＧＢ各色の色画像を生成するＲ画像生成手段、Ｇ画像生成手段およびＢ画像生成手段を備え、装置本体に入力する入力信号に応じた画像を出力する画像出力装置に用いられ、それぞれの前記画像生成手段に入力する駆動信号を補正するルックアップテーブルを生成して生成画像の画質を調整する画質調整方法であって、前記画像出力装置は、それぞれの前記画像生成手段に出力する駆動信号の信号レベルと前記入力信号の信号レベルとの対応関係が記録され、前記駆動信号の信号補正を行うためのルックアップテーブルを記憶する第１記憶手段と、前記ルックアップテーブルに基づいて前記駆動信号の信号補正を行う信号補正手段と、それぞれの前記画像生成手段により生成された画像の画質情報を取得する画質情報取得装置が接続されるインターフェースとを備え、前記画像出力装置に、それぞれの前記画像生成手段に所定の信号レベルの駆動信号を順次出力して、所定のパターン画像を順次生成させるパターン画像出力ステップと、前記インターフェースに接続された前記画質情報取得装置からそれぞれの前記パターン画像の画質情報を取得する画質情報取得ステップと、取得されたそれぞれの前記パターン画像の画質情報、および、それぞれの前記パターン画像の生成の際に前記パターン画像出力ステップで出力されたそれぞれの前記駆動信号の信号レベルに基づいて、それぞれの前記画像生成手段の画像生成特性を算出する画像生成特性算出ステップと、算出された前記画像生成特性に基づいて、前記ルックアップテーブルを生成するルックアップテーブル生成ステップと、生成された前記ルックアップテーブルを前記第１記憶手段に記憶させるルックアップテーブル記憶ステップとを実行させることを特徴とする。
【００２０】
本発明によれば、前述の画像出力装置と同様の効果を奏することができる。
すなわち、パターン画像出力ステップにより出力されたパターン画像の画質情報が、画質情報取得ステップにより取得され、このパターン画像の画質情報と当該パターン画像の駆動信号レベルとに基づいて、画像生成特性算出ステップにて、画像生成手段による画像生成特性が算出される。この画像生成特性に基づいて、ルックアップテーブル生成ステップで新たにルックアップテーブルが生成され、当該ルックアップテーブルがルックアップテーブル記憶ステップにて、第１記憶手段に記憶される。
【００２１】
これによれば、現在の画像生成手段の画像生成特性に基づいて、ルックアップテーブルを生成することにより、当該ルックアップテーブルに応じて信号補正された駆動信号により生成される画像の画質特性を容易に調整することができる。
また、一般的に高価な画像情報取得装置を外部機器として画像出力装置に接続する構成としたことにより、画像出力装置自体の製造コストが増加することを抑制することができる。さらに、調整装置を不要とすることができるので、調整装置を用意する煩雑さを解消できるとともに、画像出力装置を工場等に持ち込む必要性を無くすことができる。
【００２２】
また、本発明の画質調整プログラムは、入力される駆動信号の信号レベルに応じたＲＧＢ各色の色画像を生成するＲ画像生成手段、Ｇ画像生成手段およびＢ画像生成手段を備え、装置本体に入力する入力信号に応じた画像を出力する画像出力装置に用いられ、それぞれの前記画像生成手段に入力する駆動信号を補正するルックアップテーブルを生成して生成画像の画質を調整するために、前記画像出力装置で実行される画質調整プログラムであって、前記画像出力装置は、それぞれの前記画像生成手段に出力する駆動信号の信号レベルと前記入力信号の信号レベルとの対応関係が記録され、前記駆動信号の信号補正を行うためのルックアップテーブルを記憶する第１記憶手段と、前記ルックアップテーブルに基づいて前記駆動信号の信号補正を行う信号補正手段と、それぞれの前記画像生成手段により生成された画像の画質情報を取得する画質情報取得装置が接続されるインターフェースとを備え、前記画像出力装置に、それぞれの前記画像生成手段に所定の信号レベルの駆動信号を順次出力して、所定のパターン画像を順次生成させるパターン画像出力ステップと、前記インターフェースに接続された前記画質情報取得装置からそれぞれの前記パターン画像の画質情報を取得する画質情報取得ステップと、取得されたそれぞれの前記パターン画像の画質情報、および、それぞれの前記パターン画像の生成の際に前記パターン画像出力ステップで出力されたそれぞれの前記駆動信号の信号レベルに基づいて、それぞれの前記画像生成手段の画像生成特性を算出する画像生成特性算出ステップと、算出された前記画像生成特性に基づいて、前記ルックアップテーブルを生成するルックアップテーブル生成ステップと、生成された前記ルックアップテーブルを前記第１記憶手段に記憶させるルックアップテーブル記憶ステップとを実行させることを特徴とする。
【００２３】
本発明によれば、前述の画質調整方法と同様の効果を奏することができるほか、以下の効果を奏することができる。
すなわち、画像出力装置が画質調整プログラムを実行して生成画像の画質調整を行うことにより、前述の調整装置等の構成を接続して画質調整を図る場合に比べ、画像情報取得装置以外に新たな構成を追加することを最小限に抑えることができる。従って、画質調整プログラムを画像出力装置に導入するだけで済むので、画像出力装置の製造コストの増加を一層抑制することができる。
【００２４】
本発明の記録媒体は、前述の画質調整プログラムをコンピュータ読取可能に記録したことを特徴とする。
本発明によれば、画像出力装置のインターフェースに画質情報取得装置を接続した状態で、当該画像出力装置が、記録媒体に記録された画質調整プログラムを読み取って実行することにより、前述の画質調整プログラムと同様の効果を奏することができる。
また、記録媒体として、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、シリコンメモリ等を用いることができ、これらを利用して、画質調整プログラムをインストール、実行および配布することができる。
【発明を実施するための最良の形態】
【００２５】
（１）プロジェクタ１の構成
以下、本発明の一実施形態を図面に基づいて説明する。
図１は、本実施形態に係るプロジェクタ１の構成を示すブロック図である。
プロジェクタ１は、本発明の画像出力装置に相当し、入力する画像情報に応じた画像を生成して、当該画像を図示しないスクリーン等に拡大投射する、いわゆる３板式プロジェクタである。
このプロジェクタ１は、図１に示すように、ＲＧＢ各色を変調して光学像を形成する画像生成手段２と、外部機器が接続可能なＵＳＢ（Universal Serial Bus）インターフェース（以下、「ＵＳＢ−ＩＦ」と略す場合がある）３と、信号分配手段４、メモリ５と、信号補正手段６と、画質調整手段７とを備えて構成されている。また、プロジェクタ１は、詳しい図示を省略したが、これらの他に、光源、画像生成手段２で生成されたＲＧＢの各色画像を合成する色画像合成装置、および、合成した光学像を拡大投射する投射レンズ等を備えている。
【００２６】
ＵＳＢ−ＩＦ３は、外部機器とプロジェクタ内部とを接続する本発明のインターフェースに相当し、ＰＣ（Personal Computer）等の画像情報出力装置９１、および、色彩計９２が接続可能に構成されている。なお、色彩計９２は、プロジェクタ１から投影される画像を受光し、当該画像の輝度値を算出してプロジェクタ１に出力する本発明の画質情報取得装置に相当する。なお、図１では、ＵＳＢ−ＩＦ３を１つだけ図示したが、複数備える構成としてもよい。また、ＵＳＢの他に、ＲＳ−２３２Ｃや、ＩＥＥＥ１３９４等のインターフェースを採用してもよい。
【００２７】
信号分配手段４は、ＵＳＢ−ＩＦ３を介して当該信号分配手段４に入力した画像信号を信号補正手段６または画質調整手段７に分配する。この信号分配手段４は、プロジェクタ１が通常の画像表示を行う場合、具体的には、画像情報出力装置９１から入力した画像信号に基づく画像を生成表示する場合には、当該信号分配手段４に入力した画像信号を信号補正手段６に出力する。一方、信号分配手段４は、画質調整手段７が後述する画質調整処理Ｓを実行する場合には、当該画質調整手段７の制御により、ＵＳＢ−ＩＦ３を介して色彩計９２から入力した輝度値情報を画質調整手段７に出力する。
【００２８】
（２）画像生成手段２の構成
画像生成手段２は、後述する信号補正手段６から入力する駆動信号（電圧）の信号レベルに応じた画像を生成する。この画像生成手段２は、図示しない光源から射出された光束のうち、赤色光（Ｒ）を用いて赤色画像を形成するＲ画像生成手段２Ｒと、緑色光（Ｇ）を用いて緑色画像を形成するＧ画像生成手段２Ｇと、青色光（Ｂ）を用いて青色画像を形成するＢ画像生成手段２Ｂとから構成されている。
これらＲ画像生成手段２Ｒ、Ｇ画像生成手段２ＧおよびＢ画像生成手段２Ｂは、詳しい図示を省略したが、液晶パネルと当該液晶パネルを駆動する液晶駆動回路とによってそれぞれ構成されている。すなわち、各画像生成手段２Ｒ，２Ｇ，２Ｂでは、信号補正手段６から駆動信号が入力した液晶駆動回路が、当該駆動信号の電圧レベルに応じて液晶パネルに入射する光束の透過率を調整して光学像を形成する。
【００２９】
このような液晶パネルとして、本実施形態では、ノーマリーブラック形式の液晶パネルが採用されている。すなわち、各画像生成手段２Ｒ，２Ｇ，２Ｂを構成する液晶パネルに印加する電圧レベルの許容範囲内で最小電圧を印加した状態では、当該液晶パネルの透過率は最小となり表示状態は黒表示となる。そして、印加電圧を増加するに従って、液晶パネルの透過率が増加して表示状態は白表示に近くなり、最大電圧を印加した状態では、透過率が最大となり、表示状態は白表示となる。
なお、本実施形態では、液晶パネルはノーマリーブラック形式としたが、最小電圧を印加した状態では透過率が最大となって表示状態が白表示となり、印加電圧を高くするに従って透過率が減少して表示状態が黒表示に近くなるノーマリーホワイト形式の液晶パネルを採用してもよい。
【００３０】
（３）メモリ５の構成
メモリ５は、本発明の第１記憶手段および第２記憶手段に相当し、記憶情報を電気的に書換可能なフラッシュメモリで構成され、プログラムや各種データが記憶されている。具体的に、メモリ５には、プログラム領域５１、ＬＵＴ領域５２、ＶＴ特性領域５３およびガンマ特性領域５４が形成されている。
このうち、プログラム領域５１には、例えば、画質調整手段７に後述する画質調整処理Ｓを実行させる画質調整プログラムが記憶されている。
【００３１】
ＬＵＴ領域５２には、信号補正手段６に入力する画像信号の信号（電圧）レベルと、各画像生成手段２Ｒ，２Ｇ，２Ｂに出力する駆動信号（電圧）の信号（電圧）レベルとが対応したＬＵＴが記憶されている。このＬＵＴは、各画像生成手段２Ｒ，２Ｇ，２Ｂごと、詳述すると、画像生成手段２の液晶パネルごとに記憶されている。このようなＬＵＴは、信号補正手段６によって参照され、当該ＬＵＴに基づいて駆動信号レベルが設定されて各画像生成手段２Ｒ，２Ｇ，２Ｂに印加される。また、このＬＵＴ領域５２には、画質調整手段７によって後述する画質調整処理Ｓにて生成されたＬＵＴも記憶される。
【００３２】
ＶＴ特性領域５３には、各画像生成手段２Ｒ，２Ｇ，２Ｂを構成するそれぞれの液晶パネルのＶＴ（駆動電圧−透過率）特性が記憶されている。ここで、液晶パネルのＶＴ特性とは、入力した駆動信号（電圧）の信号（電圧）レベルに対して、当該駆動信号が入力した液晶パネルの入射光束の透過率を表したものである。すなわち、ＶＴ特性は、本発明の画像生成特性に相当し、駆動電圧が本発明の駆動信号の信号レベルに相当する。
【００３３】
ガンマ特性領域５４は、各画像生成手段２Ｒ，２Ｇ，２Ｂごとの所定のガンマ特性が記憶されている。これらガンマ特性は、後述する画質調整処理Ｓにおいて、画質調整手段７により参照される。このようなガンマ特性として、本実施形態では、ＣＲＴ（Cathode Ray Tube）の表示特性に合わせるため、ガンマ値γ＝２．２のガンマ特性とされている。なお、このようなガンマ特性に限らず、他のガンマ特性を記憶するとしてもよい。
【００３４】
（４）信号補正手段６の構成
信号補正手段６は、信号分配手段４から入力した画像信号に応じた駆動信号を生成して、当該駆動信号を各画像生成手段２Ｒ，２Ｇ，２Ｂに出力する。この信号補正手段６は、信号変換部６１と、信号出力部６２とを備えている。
信号変換部６１は、信号分配手段４から入力した画像情報、すなわち、画像情報出力装置９１からＵＳＢ−ＩＦ３を介して入力する画像情報をデコードして、ＲＧＢ各色画像を合成するための画像信号を生成し、当該画像信号を信号出力部６２に出力する。
【００３５】
信号出力部６２は、信号変換部６１から入力する各ＲＧＢの画像信号（入力信号）の信号レベルを検出し、当該信号レベルに応じて各画像生成手段２Ｒ，２Ｇ，２Ｂに出力する駆動信号を生成する。この信号出力部６２は、信号変換部６１から入力する画像信号に基づいて各画像生成手段２Ｒ，２Ｇ，２Ｂに駆動信号をそれぞれ印加することにより、当該画像生成手段２Ｒ，２Ｇ，２Ｂを構成する液晶パネルの各画素の透過率を調整して画像を形成させる。この駆動信号の信号レベルは、入力する画像信号に基づいてデジタル式に段階制御される。本実施形態では、駆動信号の信号レベルは１０ビットで制御され、０〜１０２３の間で切り替えることができる。この駆動信号によって、Ｒ画像生成手段２Ｒ、Ｇ画像生成手段２ＧおよびＢ画像生成手段２Ｂの各液晶パネルの透過率を１０２４段階に切り替えることができ、それぞれで１０２４段階の階調表現が可能となる。
【００３６】
このような信号出力部６２は、生成される駆動信号が入力する画像生成手段の液晶パネルに対応してメモリ５のＬＵＴ領域５２に記憶されたＬＵＴを参照し、当該ＬＵＴにおける画像信号の信号レベルに対応した信号レベルの駆動信号を生成して、当該駆動信号を対応する画像生成手段に出力する。
例えば、信号出力部６２は、Ｒ画像に係る画像信号に基づく駆動信号を生成する場合、Ｒ画像生成手段２Ｒの液晶パネルに対応したＬＵＴを参照し、当該ＬＵＴにおける画像信号の信号レベルに応じた信号レベルの駆動信号を生成して、生成した駆動信号をＲ画像生成手段２Ｒに出力する。なお、Ｇ画像に係る画像信号に基づく駆動信号の生成、および、Ｂ画像に係る画像信号に基づく駆動信号の生成においても同様である。
【００３７】
（５）画質調整手段７の構成
画質調整手段７は、現在のプロジェクタ１の画像生成特性、および、ガンマ特性に応じて前述のＬＵＴを生成することにより、当該プロジェクタ１で生成される投射画像の画質を調整する。具体的に、画質調整手段７は、メモリ５のプログラム領域５１に記憶された画質調整プログラムに沿って後述する画質調整処理Ｓを実行し、当該処理Ｓにて新たに生成したＬＵＴで、メモリ５のＬＵＴ領域５２に記憶されたＬＵＴを更新する。この画質調整手段７は、パターン画像出力部７１、輝度値取得部７２、ＶＴ特性算出部７３、ＬＵＴ生成部７４およびＬＵＴ記憶部７５を備えている。
【００３８】
パターン画像出力部７１は、後述する画質調整処理Ｓにて、所定のパターン画像を生成する駆動信号を各画像生成手段２Ｒ，２Ｇ，２Ｂに順次出力する。このようなパターン画像は、例えば、所定の信号レベルの単色画像、すなわち、１つの画像生成手段に対して所定の信号レベルの駆動信号を順次出力し、他の２つの画像生成手段に対して最小レベルの駆動信号を出力して生成されるそれぞれの画像を挙げることができる。
【００３９】
輝度値取得部７２は、本発明の画質情報取得部に相当し、画像生成手段２によって生成出力された前述の各パターン画像を受光した色彩計９２から、当該出力された各パターン画像の画質情報、具体的には、各パターン画像の輝度値を取得する。取得した輝度値は、当該輝度値に係る各パターン画像を生成する際に、各画像生成手段２Ｒ，２Ｇ，２Ｂに出力された駆動信号の各信号レベルに関連付けて記憶される。
【００４０】
ＶＴ特性算出部７３は、輝度値取得部７２により記憶されたパターン画像の駆動信号、および、当該駆動信号に関連付けられた輝度値情報から、各画像生成手段２Ｒ，２Ｇ，２Ｂを構成する液晶パネルの透過率を算出する。
そして、ＶＴ特性算出部７３は、駆動信号の信号レベル、および、算出した透過率から、各画像生成手段２Ｒ，２Ｇ，２Ｂを構成する液晶パネルのＶＴ特性（本発明の画像生成特性）を算出する。具体的には、Ｒ画像生成手段２Ｒ、Ｇ画像生成手段２ＧおよびＢ画像生成手段２Ｂのそれぞれの液晶パネルごとに、各信号レベルの駆動電圧と透過率との対応点をグラフ上にプロットし、当該プロットした点を結んで得られる曲線の近似式を算出する。
このＶＴ特性算出部７３により算出された各液晶パネルのＶＴ特性は、メモリ５のＶＴ特性領域５３に記憶される。
【００４１】
ＬＵＴ生成部７４は、信号補正手段６の信号出力部６２が参照するガンマ補正用のＬＵＴを生成する。具体的に、ＬＵＴ生成部７４は、ＶＴ特性算出部７３で算出された各液晶パネルのＶＴ特性と、メモリ５のガンマ特性領域５４に記憶されたガンマ特性とを比較し、信号補正手段６の信号出力部６２に入力する画像信号の信号レベルと、当該画像信号の信号レベルに応じた透過率を実現する駆動信号の信号レベルとが対応したＬＵＴを生成する。このＬＵＴ生成部７４によるＬＵＴ生成は、液晶パネルごとに行われる。
【００４２】
ＬＵＴ記憶部７５は、ＬＵＴ生成部７４により生成されたＲ画像生成手段２Ｒ、Ｇ画像生成手段２ＧおよびＢ画像生成手段２Ｂのそれぞれの液晶パネルに対応するＬＵＴで、メモリ５のＬＵＴ領域５２に記憶されたＬＵＴを上書き更新する。
なお、本実施形態では、新たに生成したＬＵＴでＬＵＴ領域５２のＬＵＴを上書き更新するとしたが、最新のＬＵＴである旨を示すフラグとともに新たに生成したＬＵＴを、ＬＵＴ領域５２内の別の領域に記憶させるようにしてもよい。
【００４３】
（６）画質調整処理Ｓ
図２は、画質調整処理Ｓの処理フローを示す図である。
プロジェクタ１は、ＵＳＢ−ＩＦ３に色彩計９２が接続され、使用者の操作により、プロジェクタ１に設けられた図示しない画質調整用のキーが入力されると、画質調整手段７によりメモリ５のプログラム領域５１に記憶された画質調整プログラムが読み出され、当該プログラムが実行されることにより、画質調整処理Ｓが開始される。
【００４４】
この画質調整処理Ｓは、メモリ５のＬＵＴ領域５２に記憶され、画像生成時に信号補正手段６の信号出力部６２で参照されるＬＵＴを、ガンマ特性領域５４に記憶されたガンマ特性に合わせて更新することにより、プロジェクタ１で生成される画像の画質調整を行う処理である。この画質調整処理Ｓは、Ｒ画像生成手段２Ｒ、Ｇ画像生成手段２ＧおよびＢ画像生成手段２Ｂを構成する各液晶パネルに対応したＬＵＴのそれぞれに対して行われる。
以下、画質調整処理Ｓについて説明する。なお、以下の説明では、Ｒ画像生成手段２Ｒの液晶パネル用のＬＵＴを生成・更新する処理として説明するが、Ｇ画像生成手段２ＧおよびＢ画像生成手段２Ｂの各液晶パネル用のＬＵＴを生成する処理も同様に行えばよいので説明を省略する。
【００４５】
画質調整処理Ｓでは、図２に示すように、まず、画質調整手段７のパターン画像出力部７１により、ＬＵＴ生成対象の画像生成手段であるＲ画像生成手段２Ｒに出力する駆動信号の信号レベルが、Ｒ画像生成手段２Ｒの液晶パネルの許容範囲で最大レベルに設定される（ステップ１、以下ステップを「Ｓ」と略す）。
この後、パターン画像出力部７１により、ＬＵＴ生成対象でない画像生成手段であるＧ画像生成手段２ＧおよびＢ画像生成手段２Ｂに出力する駆動信号の信号レベルが、当該Ｇ画像生成手段２ＧおよびＢ画像生成手段２Ｂを構成する各液晶パネルの許容範囲で最小レベルに設定される（Ｓ２）。
【００４６】
次に、パターン画像出力部７１により、Ｓ１およびＳ２で設定された駆動信号が生成され、当該駆動信号が信号補正手段６の信号出力部６２を介して各画像生成手段２Ｒ，２Ｇ，２Ｂに入力する。これにより、当該駆動信号に応じたパターン画像が各画像生成手段２Ｒ，２Ｇ，２Ｂにより生成表示される（Ｓ３，パターン画像出力ステップ）。
【００４７】
出力されたパターン画像は、ＵＳＢ−ＩＦ３に接続された色彩計９２によって受光され、当該色彩計９２によってパターン画像の輝度値が算出される。この算出された輝度値は、輝度値取得部７２により色彩計９２から取得される（Ｓ４，画質情報取得ステップ）。
【００４８】
この後、パターン画像出力部７１により、対象のＲ画像生成手段２Ｒに出力した駆動信号の信号レベルが、当該Ｒ画像生成手段２Ｒの液晶パネルの許容範囲での最小レベルか否かが判定される（Ｓ５）。
ここで、パターン画像出力部７１により最小レベルでないと判定された場合、当該パターン画像出力部７１により、対象のＲ画像生成手段２Ｒに出力する駆動信号の信号レベルが所定量減少されて設定され（Ｓ６）、この後、パターン画像出力部７１および輝度値取得部７２によりＳ３〜Ｓ５が繰り返される。
【００４９】
一方、パターン画像出力部７１により最小レベルであると判定された場合、ＶＴ特性算出部７３が、対象のＲ画像生成手段２Ｒに最大レベルの駆動信号を出力して生成したパターン画像の輝度値を、当該Ｒ画像生成手段２Ｒの液晶パネルの透過率が「１」である場合の輝度値、すなわち、当該液晶パネルが全開状態となった場合の輝度値として設定する（Ｓ７，画像生成特性算出ステップ）。
【００５０】
次に、ＶＴ特性算出部７３は、Ｒ画像生成手段に出力した駆動信号の各信号レベルと、当該各信号レベルの駆動信号を出力して得たパターン画像の輝度値とから、Ｒ画像生成手段２Ｒに出力した駆動信号の各信号レベルにおける、当該Ｒ画像生成手段２Ｒの液晶パネルの透過率を算出する（Ｓ８，画像生成特性算出ステップ）。
【００５１】
図３は、各画像生成手段２Ｒ，２Ｇ，２Ｂの液晶パネルのＶＴ（駆動電圧−透過率）特性を示すグラフである。すなわち、図３は、各液晶パネルに入力する駆動信号の信号レベルと、当該液晶パネルの透過率との対応を示すグラフである。
このＳ８は、Ｒ画像生成手段２Ｒに出力した駆動信号の全ての信号レベルで実行し、それぞれの信号レベルでの液晶パネルの透過率が算出される。これら駆動信号の信号レベルと液晶パネルの透過率との対応点は、グラフ上にプロットされる（図３中Ｒで示す）。そして、当該対応点を結ぶ曲線の決定、および、当該曲線の近似式の算出が実行され、当該近似式がＲ画像生成手段２Ｒの液晶パネルのＶＴ特性を表す式として、メモリ５のＶＴ特性領域５３に記憶される。
【００５２】
図４は、ガンマ値２．２のガンマ特性を示すグラフである。すなわち、図４は、信号補正手段６の信号出力部６２に入力する画像信号の信号レベルと、当該信号レベルに応じて要求される液晶パネルの透過率との対応を示すグラフである。
また、図５は、入力画像信号の信号レベルと出力駆動信号の信号レベルとが対応したＬＵＴを示すグラフであり、換言すると、図３のＶＴ特性および図４のガンマ特性に基づいて生成された各液晶パネルのＬＵＴを示すグラフである。
Ｓ８の後、ＬＵＴ生成部７４は、ＶＴ特性算出部７３により算出されたＲ画像生成手段２Ｒの液晶パネルのＶＴ特性（図３参照）、および、メモリ５のガンマ特性領域５４に記憶されたガンマ特性（図４参照）を参照し（Ｓ９）、当該ガンマ特性に基づいてＲ画像生成手段２Ｒ用のＬＵＴを生成する（Ｓ１０，ルックアップテーブル生成ステップ）。すなわち、ＬＵＴ生成部７４は、信号出力部６２に入力する画像信号の信号レベルに対して、Ｒ画像生成手段２Ｒの液晶パネルに出力する駆動信号の信号レベルを示すＬＵＴを生成する。
【００５３】
具体的にＳ１０では、ＬＵＴ生成部７４は、図３において示した液晶パネルのＶＴ特性の透過率と、図４において示したガンマ特性の透過率とが対応する画像信号の信号レベルと駆動信号の信号レベルとを取得する。そして、ＬＵＴ生成部７４は、図５に示すようなグラフ上に、画像信号および駆動信号のそれぞれの信号レベルの対応点をプロットし、当該対応点を結ぶ曲線を設定して当該曲線の近似式を得ることによりＬＵＴを生成する。
【００５４】
例えば、ＬＵＴ生成部７４は、Ｒ画像生成手段２Ｒの液晶パネルのＶＴ特性（図３）から、透過率「０．２」に対応する駆動信号の信号レベル「６４０」を取得し、ガンマ特性（図４）から、同じ透過率「０．２」に対応する画像信号の信号レベル「５０３」を取得する。そして、図５に示すように、Ｘ軸に画像信号の信号レベルを設定し、Ｙ軸に駆動信号の信号レベルを設定したグラフ上に、同じ透過率に対応する画像信号および駆動信号の信号レベルの対応点をプロットする。このような対応点を結んで曲線を設定し、当該曲線を近似する近似式を算出して、Ｒ画像生成手段２Ｒ用のＬＵＴを生成する。
【００５５】
この後、ＬＵＴ記憶部７５は、生成されたＲ画像生成手段２Ｒ用のＬＵＴで、メモリ５のＬＵＴ領域５２に記憶されているＲ画像生成手段２Ｒ用のＬＵＴを上書きする（Ｓ１１，ルックアップテーブル記憶ステップ）。以上により、画質調整処理Ｓが終了する。
【００５６】
以上のような画質調整処理Ｓは、画質調整手段７がメモリ５のプログラム領域５１に記憶された画質調整プログラムを読み出して実行することにより処理されるとしたが、当該画質調整プログラムはＤＶＤ等の記録媒体に記録され、必要に応じて当該記録媒体から画質調整手段７が読み出すように構成してもよい。このような場合、当該画質調整手段７が画質調整プログラムの読出および実行が可能であれば、記録媒体の種類は問わない。
【００５７】
以上のような本実施形態のプロジェクタ１によれば、以下の効果を奏することができる。
画質調整手段７により、現在のプロジェクタ１で生成される画像の画質を、メモリ５のガンマ特性領域５４に記憶されたガンマ特性に合わせて容易に調整することができる。
すなわち、パターン画像出力部７１により、各画像生成手段２Ｒ，２Ｇ，２Ｂの各液晶パネルの入力許容範囲における最大レベルから順にレベルを減少させた駆動信号が順次出力され、それぞれの信号レベルに応じたパターン画像が画像生成手段２Ｒ，２Ｇ，２Ｂにより生成される。これらパターン画像の輝度値情報は、輝度値取得部７２により色彩計９２から取得され、ＶＴ特性算出部７３により、輝度値情報および当該輝度値情報に係るパターン画像生成時の駆動信号レベルに基づいて、各画像生成手段２Ｒ，２Ｇ，２Ｂを構成する液晶パネルのＶＴ特性が算出される。この算出されたＶＴ特性、および、ガンマ特性領域５４に記憶されたガンマ特性に基づいて、各画像生成手段２Ｒ，２Ｇ，２Ｂ用のＬＵＴが生成され、当該ＬＵＴはＬＵＴ記憶部７５によりメモリ５のＬＵＴ領域５２に記憶される。
【００５８】
これによれば、記憶されたガンマ特性、および、現在の各画像生成手段２Ｒ，２Ｇ，２Ｂの各液晶パネルのＶＴ特性に応じたＬＵＴが生成され、当該ＬＵＴで既存のＬＵＴが更新される。ここで、信号補正手段６の信号出力部６２は、更新されたＬＵＴを参照するので、ＬＵＴを更新することにより、生成画像の画質を調整することができる。従って、ＬＵＴを更新することにより、生成画像の画質特性を容易に変更することができる。
【００５９】
また、ＬＵＴ生成は、プロジェクタ１内部の画質調整手段７によって主に行われるが、この際に利用されるパターン画像の輝度値を算出する色彩計９２は、プロジェクタ１の外部に接続される構成とされている。これによれば、高価な色彩計９２を含む構成とする場合に比べ、プロジェクタ１の製造コスト増加を抑制することができる。従って、低コストで画質調整を実行できるプロジェクタ１を構成できる。
【００６０】
また、前述のように、画質調整手段７に相当する調整装置をプロジェクタ１に外部機器として接続する場合、当該調整装置を準備する煩雑さ等が問題として挙げられるが、画質調整手段７を内部に備える構成としたことにより、このような問題を解決することができる。
さらに、当該プロジェクタ１の画質調整を、色彩計９２が設置されている場所でなら工場等でなくても実行することができる。例えば、プロジェクタ１の販売店やサポートセンター等に色彩計９２を設置しておけば、販売店等の施設に比べ数が少ない工場等にプロジェクタ１を持ち込む必要がなくなるので、使用者の手間が省けるほか、画質調整に要する時間も短縮することができる。
加えて、安価な色彩計をオプション等で準備しておき、使用者が当該色彩計を用意できる場合には、プロジェクタ１の画質調整を使用者により行うことができるほか、高価ではあるものの精度の高い分光タイプの色彩計を販売店等に設置しておけば、当該販売店にプロジェクタ１を持ち込むことにより、一層精度の高い画質調整を行うことができる。
【００６１】
一方、画質調整のためのＬＵＴ生成は、メモリ５のプログラム領域５１に記憶された画質調整プログラムに沿って画質調整処理Ｓが実行されることで行われる。これによれば、プロジェクタ１がＣＰＵ等の演算処理手段を備える場合には、当該演算処理手段で画質調整プログラムを実行すればよいため、プロジェクタ１の製造コスト増加を一層抑制することができる。
【００６２】
また、色彩計９２は、ＵＳＢ−ＩＦ３に接続される。これによれば、液晶プロジェクタとして通常採用されているインターフェースを用いて色彩計９２を接続することができるので、新たな規格のインターフェースを設ける必要を無くすことができる。従って、プロジェクタ１の構成および製造工程を簡略化することができる。なお、このような効果は、インターフェースとして、ＵＳＢ−ＩＦ３の代わりに、ＲＳ−２３２ＣおよびＩＥＥＥ１３９４等のインターフェースを用いた場合も同様に奏することができる。
【００６３】
（７）実施形態の変形
本発明は前述の実施形態に限定されるものではなく、本発明の目的を達成できる範囲での変形、改良等は本発明に含まれるものである。
前記実施形態では、各画像生成手段２Ｒ，２Ｇ，２Ｂに入力する駆動信号をガンマ補正するためのＬＵＴを生成したが、本発明はこれに限定されるものではない。例えば、生成画像の色合い等の画質調整を行うためのＬＵＴを生成してもよい。
【００６４】
前記実施形態では、フラッシュメモリで構成されるメモリ５に、プログラム、ＬＵＴ、ＶＴ特性およびガンマ特性を記憶するとしたが、これらをそれぞれ別個の記憶手段に記憶する構成としてもよい。
さらに、ＬＵＴが作成された後は、ＶＴ特性およびガンマ特性のデータは記憶しなくてもよい。
【００６５】
前記実施形態では、画質情報取得装置として、色彩計９２を用いたが、色彩計のかわりに市販のデジタルカメラや、ビデオカメラを利用することも考えられる。
【００６６】
前記実施形態では、各画像生成手段２Ｒ，２Ｇ，２Ｂの液晶パネルとして、光入射面と光射出面とが異なる透過型の液晶パネルを採用したが、光入射面と光射出面とが同一となる反射型の液晶パネルを用いてもよい。
また、前記実施形態では、３つの液晶パネルを用いたプロジェクタ１を挙げたが、３つ未満、あるいは、４つ以上の液晶パネルを用いたプロジェクタにも適用可能である。
さらに、液晶パネルの他に、ＩＬＡ（Image Light Amplifier）素子を用いたデバイス、ＤＭＤ（Digital Micromirror Device）およびＧＬＶ（Grating Light Valve）等を用いたプロジェクタにも本発明を採用することができる。
【００６７】
前記実施形態では、画像出力装置として液晶プロジェクタであるプロジェクタ１を例示したが、本発明はこれに限定されるものではない。このような画像出力装置として、液晶ディスプレイ、ＰＤＰパネルを用いたプラズマディスプレイ、有機ＥＬ素子を用いた有機ＥＬディスプレイ等を挙げることができる。
また、画像出力装置としてプロジェクタを採用する場合、当該プロジェクタは、スクリーンを観察する方向から投射を行なうフロントタイプのプロジェクタだけでなく、スクリーンを観察する方向とは反対側から投射を行なうリアタイプのプロジェクタでも適用可能である。
【産業上の利用可能性】
【００６８】
本発明は、３板式プロジェクタ、単板式プロジェクタ、液晶ディスプレイ、ＰＤＰ、有機ＥＬディスプレイなどの各種画像出力装置、および、当該画像出力装置の画像生成手段の入力画像信号レベルに対する出力駆動信号レベルを示すＬＵＴの生成に利用できる。
【図面の簡単な説明】
【００６９】
【図１】本発明の一実施形態に係るプロジェクタの構成を示すブロック図。
【図２】前記実施形態における画質調整処理の処理フローを示す図。
【図３】前記実施形態における各液晶パネルのＶＴ特性を示すグラフ。
【図４】前記実施形態におけるガンマ値２．２のガンマ特性を示すグラフ。
【図５】前記実施形態における入力画像信号の信号レベルと出力駆動信号の信号レベルとが対応したＬＵＴを示すグラフ。
【符号の説明】
【００７０】
１…プロジェクタ（画像出力装置）、２Ｒ…Ｒ画像生成手段、２Ｇ…Ｇ画像生成手段、２Ｂ…Ｂ画像生成手段、３…ＵＳＢインターフェース（インターフェース）、５…メモリ（第１記憶手段、第２記憶手段）、６…信号補正手段、７…画質調整手段、７１…パターン画像出力部、７２…輝度値取得部（画質情報取得部）、７３…ＶＴ特性算出部（画像生成特性算出部）、７４…ＬＵＴ生成部（ルックアップテーブル生成部）、７５…ＬＵＴ記憶部（ルックアップテーブル記憶部）、９２…色彩計（画質情報取得装置）、Ｓ…画質調整処理、Ｓ３…パターン画像出力ステップ、Ｓ４…画質情報取得ステップ、Ｓ７，Ｓ８…画像生成特性算出ステップ、Ｓ１０…ルックアップテーブル生成ステップ、Ｓ１１…ルックアップテーブル記憶ステップ。
【図１】
2007081576.tif 000003
【図２】
2007081576.tif 000004
【図３】
2007081576.tif 000005
【図４】
2007081576.tif 000006
【図５】
2007081576.tif 000007